(57)【要約】【課題】  監視対象機器の撤去に対して、モニター表示装置を改造せずに監視性能を低下させずに機器撤去状況を把握可能にすることにある。【解決手段】  ビル施設を管理するために各制御装置４ａ〜４ｎが対応する監視対象機器３ａ〜３ｎを制御するとともに、その機器の動作状態を取り込んで中央監視装置２に送信する監視システムにおいて、所要の電圧信号を生成する信号電圧生成部１２と、この信号電圧生成部で生成された所要の電圧信号をON−OFF制御し、削除信号として出力するタイマスイッチ制御手段１３，１４とを有する削除信号表示用端末装置６を備え、特定の制御装置４ｎに接続される監視対象機器３ｎの撤去に代えて、当該特定の制御装置４ｎに接続して前記削除信号を供給し、前記中央監視装置２に機器撤去の状況を知らせる構成である。【選択図】図３
2010183433.tif 000002
【特許請求の範囲】
【請求項１】
ビル施設を管理するために各制御装置が対応する監視対象機器を制御するとともに、その機器の動作状態を取り込んで中央監視装置に送信する監視システムにおいて、
所要の電圧信号を生成する信号電圧生成手段と、この信号電圧生成手段により生成された所要の電圧信号を、予め設定されるON−OFFの出力間隔に基づいてON−OFF制御し、削除信号として出力するタイマスイッチ制御手段とを備え、前記特定の制御装置に接続される前記監視対象機器の撤去に代えて、当該特定の制御装置に接続して前記削除信号を供給し、前記中央監視装置に機器撤去の状況を知らせることを特徴とする削除信号表示用端末装置。
【請求項２】
ビル内に設置される複数の監視対象機器と、各監視対象機器を制御するとともに動作状態を取り込んで出力する複数の制御装置と、これら制御装置から送られてくる前記各監視対象機器の動作状態を監視し、その監視結果に基づいて制御するための信号を前記制御装置に与える中央監視装置と、この中央監視装置に設けられ、前記複数の監視対象機器の動作状態を表示するモニター表示装置と、前記特定の制御装置に接続される前記監視対象機器の撤去に代えて、当該特定の制御装置に接続して前記削除信号を供給する請求項１に記載された削除信号表示用端末装置とを備え、
前記中央監視装置に接続されるモニター表示装置に表示される前記撤去された監視対象機器の対応表示領域に前記ON−OFFの出力間隔で制御される削除信号を表示し、機器撤去の状況を知らせることを特徴とする監視システムの削除信号表示システム。
【請求項３】
適宜な時期あるいは定期的に中央監視装置下の各制御装置に接続される監視対象機器の保守点検を含むビル施設のリニューアル時に前記特定の監視対象機器を撤去する機器撤去ステップと、
この機器撤去ステップによる撤去機器に代えて対応する前記制御装置に予め設定される前記ON−OFFの出力間隔で制御される削除信号を出力する削除信号表示用端末装置を接続するステップと、
このステップによって削除信号表示用端末装置から出力される削除信号を対応する制御装置に供給し前記中央監視装置に送信するステップと、この中央監視装置に接続されるモニター表示装置に表示される前記撤去された監視対象機器の対応表示領域に前記ON−OFFの出力間隔で制御される削除信号を表示し、機器撤去の状況を知らせるステップと
を有することを特徴とする監視システムの削除信号表示方法。
【発明の詳細な説明】
【技術分野】
【０００１】
本発明は、ビル施設内の各種現場機器の動作状態を監視する監視システム等に利用される削除信号表示用端末装置、監視システムの削除信号表示システム及びその削除信号表示方法に係り、特にビル施設のリニューアル時などで監視対象機器となる現場機器を撤去（削除）したとき、監視性能を低下させずに監視可能とする削除信号表示用端末装置、監視システムの削除信号表示システム及びその削除信号表示方法に関する。
【背景技術】
【０００２】
既に建築済みの多くビルなどでは、ビル施設となる各種の現場機器（例えば照明設備、室入口電子錠、各ゾーン空調機、火災検知器、ボイラ等）の動作状態を監視するために、中央監視システムが設けられている。
【０００３】
各ビルは、適宜な時期あるいは定期的に現場機器の保守点検を含めてビル施設のリニューアルを実施することが多いが、特に賃貸ビルなどでは借り主が頻繁に変われば、それに伴って現場機器の配置転換を含めて現場機器の撤去等を伴う例が多くなる。
【０００４】
ビル施設から監視対象機器となる現場機器を撤去した場合、その現場機器の撤去に伴って中央監視システムのモニター表示装置を全く新しいものに付け換えれば、監視性能に何ら影響を与えないが、保守点検やリニューアルのコストが非常に高いものとなる。
【０００５】
そこで、通常、全面的にリニューアルを実施する前のいわゆる段階的な現場機器の更新時には、モニター表示装置から機器撤去に伴う信号削除を行うことなく、現場機器の制御を司る制御装置の制御結果の値をそのまま中央監視装置に送信し、モニター表示装置の削除された現場機器の該当表示領域に表示するのが一般的である。
【０００６】
その結果、中央監視システムの監視員は、モニター表示装置に表示された信号から、現場機器の撤去に伴う削除信号か、現場機器の異常を表す信号か、現場機器の制御結果の信号なのか、全く判断できなくなる。このことは、モニター表示装置の監視性能の低下、ひいては監視システム全体の信頼性を損なう問題がある。
【０００７】
また、従来、ビル施設を管理する監視システムが提案されている（特許文献１）。  
この監視システムは、上位ホスト装置−通信回線−上位ホストデータ連携装置−サーバ装置−ビル施設の各装置の順で接続され、上位ホスト装置がビル施設内の各装置の存在を完全に把握した上で、通信回線を通して上位ホストデータ連携装置に対してビル施設の各装置の制御，設定を依頼する。
【０００８】
上位ホストデータ連携装置は、上位ホスト装置から依頼された制御、設定が予め装置テーブル上に制御，設定の対象ポイントとして存在するか否かを判断し、制御，設定の対象ポイントとして存在しない場合には監視または制御対象から外れている。つまり、削除されていると判断する。
【０００９】
そこで、上位ホストデータ連携装置は、削除されていると判断した時、もともとビル施設内の該当装置が存在するので、装置テーブル上の対応するビル施設の該当装置に監視フラグを設定し、タイマを起動し、一定時間経過後にサーバ装置に該当装置の制御、設定開始の指示を送出する。サーバ装置は、制御、設定開始の指示を受けて該当装置を制御し、当該装置の動作による変化信号を取り出し、上位ホストデータ連携装置に送信する。
【先行技術文献】
【特許文献】
【００１０】
【特許文献１】特開平１１−２３８０４３号公報（段落２４参照）
【発明の概要】
【発明が解決しようとする課題】
【００１１】
従って、以上のような特許文献１の技術は、ビル施設内に各装置が確実に存在していることを前提とし、一時的にビル施設のある装置が監視・制御から外れている時に上位ホストデータ連携装置内の装置テーブルから外れていることを見つけ出し、依頼された該当装置に対して制御，設定をリトライし復帰させるものであって、ビル施設内からある装置が撤去させたときにその撤去された状態を適切に表示するものではない。
【００１２】
また、特許文献１の技術は、上位ホスト装置から通信回線を通して上位ホストデータ連携装置に対して現場装置への制御、設定を依頼する一連の処理手段を内容とするものであって、現場機器の撤去等の変化に対してモニター表示装置を改造せずにその撤去状況を容易に把握可能とするものではない。
【００１３】
本発明は上記事情に鑑みてなされたもので、監視対象となる現場機器の撤去に対して、中央のモニター表示装置を改造せずに監視性能を低下させずに機器撤去の状況を判断可能にする削除信号表示用端末装置、監視システムの削除信号表示システム及び削除信号表示方法を提供することを目的とする。
【課題を解決するための手段】
【００１４】
上記課題を解決するために、ビル施設を管理するために各制御装置が対応する監視対象機器を制御するとともに、その機器の動作状態を取り込んで中央監視装置に送信する監視システムにおいて、所要の電圧信号を生成する信号電圧生成手段と、この信号電圧生成手段により生成された所要の電圧信号を、予め設定されるON−OFFの出力間隔に基づいてON−OFF制御し、削除信号として出力するタイマスイッチ制御手段とを備え、前記特定の制御装置に接続される前記監視対象機器の撤去に代えて、当該特定の制御装置に接続して前記削除信号を供給し、前記中央監視装置に機器撤去の状況を知らせる削除信号表示用端末装置を設けた構成である。
【００１５】
また、本発明に係る監視システムの削除信号表示システムは、ビル内に設置される複数の監視対象機器と、各監視対象機器を制御するとともに動作状態を取り込んで出力する複数の制御装置と、これら制御装置から送られてくる前記各監視対象機器の動作状態を監視し、その監視結果に基づいて制御するための信号を前記制御装置に与える中央監視装置と、この中央監視装置に設けられ、前記複数の監視対象機器の動作状態を表示するモニター表示装置と、前記特定の制御装置に接続される前記監視対象機器の撤去に代えて、当該特定の制御装置に接続して前記削除信号を供給する前記削除信号表示用端末装置とを備え、前記中央監視装置に接続されるモニター表示装置に表示される前記撤去された監視対象機器の対応表示領域に前記ON−OFFの出力間隔で制御される削除信号を表示し、機器撤去の状況を知らせる構成である。
【００１６】
さらに、本発明に係る監視システムの削除信号表示方法は、適宜な時期あるいは定期的に中央監視装置下の各制御装置に接続される監視対象機器の保守点検を含むビル内のリニューアルの実施時に特定の監視対象機器を撤去する機器撤去ステップと、この機器撤去ステップによる撤去機器に代えて対応する制御装置に予め設定される前記ON−OFFの出力間隔で制御される削除信号を出力する削除信号表示用端末装置を接続するステップと、このステップによって削除信号表示用端末装置から出力される削除信号を対応する制御装置に供給し中央監視装置に送信するステップと、この中央監視装置に接続されるモニター表示装置に表示される前記撤去された監視対象機器の対応表示領域にON−OFFの出力間隔で制御される削除信号を表示し、機器撤去の状況を知らせるステップとを有する方法である。
【発明の効果】
【００１７】
本発明によれば、制御装置に接続される監視対象機器が撤去されたとき、その撤去された監視対象機器に代えて、当該制御装置に削除信号を供給する削除信号表示用端末装置を接続することにより、中央のモニター表示装置を改造せずに監視性能を低下させずに機器撤去状況を把握することができる。
【図面の簡単な説明】
【００１８】
【図１】ビル施設の監視対象機器である各種の現場機器の動作状態を監視する一般的な監視システムの構成図。
【図２】一般的な監視システムに適用される本発明に係る削除信号表示システムの一実施の形態を示す構成図。
【図３】本発明に係る削除信号表示用端末装置を説明する図であって、同図（ａ）は一側面図、同図（ｂ）は同図（ａ）に示すＡ−Ａ線に沿って断面して示す内部実装構成図。
【図４】本発明に係る監視システムの削除信号表示方法を説明する図。
【図５】モニター表示装置に表示された監視画面の一例を示す図。
【発明を実施するための形態】
【００１９】
以下、本発明の実施の形態について図面を参照して説明する。  
図１は本発明に係る削除信号表示システムを適用するための一般的な監視システムの構成を示す図である。
【００２０】
一般に、ビル内の各種機器の動作状況を監視する監視システムとしては、モニター表示装置１を備えた中央監視装置２と、ビル施設の監視対象機器となる各種の現場機器３ａ，３ｂ，…，３ｎ、…と、中央監視装置２から監視結果に基づいて出力される操作信号を受け取り、対応する現場機器３ａ，３ｂ，…，３ｎ、…を制御し、その制御結果となる監視信号を取り込んで中央監視装置２に送信する制御装置４ａ，４ｂ，…，４ｎ、…とで構成される。
【００２１】
通常、中央監視装置２と各制御装置４ａ，４ｂ，…，４ｎ、…はＬＡＮなどの通信ネットワーク５で接続されている。
【００２２】
ここで、現場機器３ａ，３ｂ，…，３ｎ、…とは、ビルの各階各ゾーンの照明装置、空調機、室内出入口の電子錠、火災検知器、空調機の空調制御に使用される温度計、湿度計その他必要とする各種の監視対象機器を意味する。なお、ビルの使用目的ないし事業範囲等に応じて現場機器の種類も異なる。
【００２３】
このような監視システムによれば、中央監視装置２が所定の周期ごとに通信ネットワーク５を介して各制御装置４ａ，４ｂ，…，４ｎ、…から現場機器３ａ，３ｂ，…，３ｎ、…の動作有無や各個所の物理変量を収集し、あるいは各制御装置４ａ，４ｂ，…，４ｎ、…から送信されてくる現場機器３ａ，３ｂ，…，３ｎ、…の動作有無や物理変量を受信し、モニター表示装置１の監視画面上の各階各ゾーンの現場機器対応領域やシンボル部分に動作状況，物理変量（計測値）を表示し、ビル内施設の状況を監視する構成である。
【００２４】
図２は図１に示す監視システムに適用される本発明に係る削除信号表示システムの一実施の形態を示す構成図である。
【００２５】
この削除信号表示システムは、適宜な時期あるいは定期的に現場機器の保守点検を含めてビル内のリニューアルを実施し、ビル管理者の要請の下にある現場機器例えば３ｎを撤去する場合、対応する制御装置４ｎから現場機器３ｎを切り離した後、当該現場機器３ｎに代えて、図２に示すように本発明に係る削除信号表示用端末装置６が接続される。
【００２６】
その他の構成は、図１と同様であるので、同一または等価な部分には同一符号を付し、その詳しい説明を省略する。
【００２７】
削除信号表示用端末装置６は、一例として例えば図３に示すように構成される。なお、図３（ｂ）は端末装置６の内部実装構成図である。  
削除信号表示用端末装置６は、商用電源ライン（図示せず）から電源電圧を取り込んで端末装置６内に給電する電源給電部１１と、この電源給電部１１により取り込んだ電源電圧を所要の電圧信号，例えば直流電圧５Ｖの信号に生成する信号電圧生成部１２と、ON信号とOFF信号の出力間隔を設定するタイマ設定部１３と、このタイマ設定部１３で設定されたON−OFF信号に基づいて信号電圧生成部１２から出力される電圧信号をON−OFF制御するタイマスイッチ部１４と、端末装置一側方に形成された段差部１５に取り付けられる端子台１６と、タイマスイッチ部１４の出力端から端子台１６の各端子１６ａ，…、１６ｎに分岐接続される配線１７とからなる。
【００２８】
すなわち、ビル施設のリニューアル時、現場機器例えば３ｎを撤去しようとする場合、対応する制御装置４ｎから現場機器３ｎを撤去した後、制御装置４ｎに現場機器３ｎに代えて削除信号表示用端末装置６を接続する。具体的には、端子台１６の例えば端子１６ｎから制御装置４ｎにケーブル１８を接続し、タイマスイッチ部１４から出力されるON（５Ｖ）−OFF（０Ｖ）の電圧信号を制御装置４ｎに供給する。そして、削除信号表示用端末装置６から現場機器３ｎを撤去したことを知らせる削除信号を制御装置４ｎを通して中央監視装置２に送信し、モニター表示装置１に表示する。
【００２９】
なお、電源給電部１１の代わりに、電池電源を用いても良い。すなわち、商用電源を使用せずに、当該電池電源から所要の直流電圧を出力するようにすれば、電源給電部１１及び信号電圧生成部１２の両機能を兼ね備えたものとなる。
【００３０】
次に、以上のように構成された削除信号表示システムの動作ないし削除信号表示方法について、図４及び図５を用いて説明する。
【００３１】
（１）  通常、中央監視装置２は、各制御装置４ａ，４ｂ，…から送られてくる現場機器３ａ，３ｂ，…の動作状態信号及び各所要個所の物理変量を受信し、適宜な記憶装置に各階各ゾーンごとに分けて記憶する。
【００３２】
この状態において、監視員がモニター表示装置１の監視画面に付設される階選択ボタン２１を操作して１階を選択すると、監視画面には１階の平面図及び１階の複数ゾーンに設置される現場機器３ａ，３ｂ，…に関する動作状態及び所要の物理変量が表示される。例えば、図５に示すように照明や空調機に対応する表示部２２ａ１，２２ａ２に照明点灯、空調機動作を表す例えば赤色が表示され、さらに空調機近傍領域にゾーン設定温度、ゾーン測定温度、ゾーン測定湿度等が表示される。
【００３３】
中央監視装置２は、各制御装置４ａ，４ｂ，…から送られてくる現場機器３ａ，３ｂ，…の動作状態信号や物理変量などを受け取ると、予め定める運用スケジュールや設定温度を参照し、運用スケジュールに従い、あるいは設定温度に近づけるような操作信号を装置ＩＤデータとともに通信ネットワーク５に送信する。
【００３４】
制御装置例えば４ｎは、装置ＩＤデータから自己ＩＤの操作信号と判断すると、当該操作信号の下に現場機器３ｎを制御し、その制御結果の動作状態や物理変量を取り込み、中央監視装置２に送信する。
【００３５】
（２）  ところで、適宜な時期あるいは定期的に現場機器３ａ，３ｂ，…の保守点検を含むビル施設のリニューアルを実施するが、このとき特定の現場機器例えば３ｎを撤去する必要が出てくる。例えば広領域のＡゾーンが複数の細部ゾーンに分けて監視している場合、その中の特定のゾーンの照明を使用せずに空ゾーンとする場合、該当制御装置例えば４ｎから特定のゾーンに設置される照明機器である現場機器３ｎを切り離す（ＳＴ１）。
【００３６】
（３）  該当制御装置４ｎから現場機器３ｎを切り離し撤去した後、制御装置４ｎに現場機器３ｎに代えて、図３に示す削除信号表示用端末装置６を接続する（ＳＴ２）。
【００３７】
この削除信号表示用端末装置６は、前述したように商用電源ラインに接続されるコンセントから商用電源を取り込む電源給電部１１が設けられ、さらに信号電圧生成部１２では、例えば商用電源を整流し直流電圧に変換した後、抵抗分圧回路等を用いて所要の直流電圧信号を生成する。なお、所要の直流電圧信号を得る手段としては、商用電源から種々の電圧変換手段を用いて生成するが、例えば商用電源を用いずに電池電源を用いて所要の直流電圧信号を生成してもよい。
【００３８】
（４）  制御装置４ｎに削除信号表示用端末装置６を接続させた後、当該端末装置６の信号電圧生成部１２から所要の直流電圧信号を出力し、タイマスイッチ部１４側に送出する。このとき、タイマスイッチ部１４には、タイマ設定部１３から予め所要の出力間隔で0N−OFFする制御信号が印加されている。その結果、削除信号表示用端末装置６から所要の直流電圧信号をON−OFF制御した削除信号を送出する（ＳＴ３）。
【００３９】
なお、タイマ設定部１３は、適宜にON−OFFの出力間隔を変更可能であるので、例えばON時間をほとんど零となるように設定すれば、直流電圧信号をOFFとした一定レベルの削除信号を出力することも可能である。
【００４０】
（５）  対応する制御装置４ｎは、削除信号表示用端末装置６から送出された削除信号を制御結果の監視信号として受け取り、通信ネットワーク５を経由して中央監視装置２に送信する（ＳＴ４）。
【００４１】
（６）  中央監視装置２は、対応する制御装置４ｎから削除信号を受信すると、モニター表示装置１の監視画面に表示される撤去された現場機器３ｎである照明に対応する四角形状の表示部２２ａ１に前述した出力間隔に基づいて交互に赤色（ON）及び緑色（OFF）表示とする削除信号を表示する（ＳＴ５）。つまり、通常の表示形態と異なるように表示部２２ａ１を表示することにより、該当現場機器が撤去されたことを視覚的に認識できるようにする。
【００４２】
従って、以上のような実施の形態によれば、全面的にリニューアルを実施する前のいわゆる段階的な現場機器の更新時に、監視対象機器である現場機器を撤去したとき、その撤去した現場機器を代わって、対応する制御装置に削除信号表示用端末装置６を接続し、この削除信号表示用端末装置６から通常の監視信号形態とは異なる機器撤去に伴う削除信号を送出するようにしたので、制御装置はその削除信号を中央監視装置２に送信し、モニター表示装置１の監視画面に表示するようにすれば、対応する制御装置から現場機器が撤去されたことが容易に認識でき、モニター表示装置１の内部構成を設計変更せずにそのままの状態で使用でき、保守点検やリニューアルのコストを高めることなく、また監視性能を低下させずに監視の目的を達成することができる。
【００４３】
さらに、モニター表示装置１ないし中央監視装置２の改造を伴わないことから、コストの削減だけでなく、煩雑な改造作業が必要なくなり、ビル施設の柔軟なリニューアルを実施できる。また、削除信号表示用端末装置６の出力端子数を増設可能にしておけば、その後の他の現場機器の撤去にも同一の削除信号表示用端末装置６を使用することができる。
【００４４】
その他、本発明は、上記実施の形態に限定されるものでなく、その要旨を逸脱しない範囲で種々変形して実施できる。例えばON／OFFのデジタル的な削除信号について述べたが、アナログ的な設定値（固定値）を有する削除信号を出力するようにしてもよい。
【符号の説明】
【００４５】
１…モニター表示装置、２…中央監視装置、３ａ，３ｂ，…  …現場機器（監視対象機器）、４ａ，４ｂ，…  …制御装置、５…通信ネットワーク、６…削除信号表示用端末装置、１２…信号電圧生成部、１３…タイマ設定部、１４…タイマスイッチ部、１６…端子台。
【図１】
2010183433.tif 000003
【図２】
2010183433.tif 000004
【図３】
2010183433.tif 000005
【図４】
2010183433.tif 000006
【図５】
2010183433.tif 000007